(57)【要約】【課題】係止爪の破損を防止することが可能な電気接続箱を提供する。【解決手段】電気接続箱は、ケースハウジングのケース面に複数のコネクタ接続部を有する。前記コネクタ接続部の少なくとも一つは、回動式のコネクタ抜け止め用キャップを備える。前記ケース面には、前記コネクタ抜け止め用キャップを仮係止するための係止爪が形成されている。前記ケース面の前記係止爪が形成された部分の周辺は、他の部分より低く形成されている。【選択図】図１
2015159698.tif 000002
【特許請求の範囲】
【請求項１】
ケースハウジングのケース面に複数のコネクタ接続部を有する電気接続箱であって、
前記コネクタ接続部の少なくとも一つには、回動式のコネクタ抜け止め用キャップが取り付けられ、
前記ケース面には、前記コネクタ抜け止め用キャップを仮係止するための係止爪が形成され、
前記ケース面の前記係止爪が形成された部分の周辺は、他の部分より低く形成されている
ことを特徴とする電気接続箱。
【請求項２】
前記コネクタ抜け止め用キャップを備えたコネクタ接続部は、四隅を有する前記ケース面の一つの隅部に設けられている
ことを特徴とする請求項１記載の電気接続箱。
【請求項３】
前記ケース面の前記係止爪が形成された部分の周辺と前記他の部分との段差は、前記ケース面の縁部まで形成されている
ことを特徴とする請求項１又は２記載の電気接続箱。
【請求項４】
前記ケース面の前記係止爪が形成された部分の周辺と前記他の部分との段差と、前記係止爪との間には、所定の間隔が設けられている
ことを特徴とする請求項１〜３のいずれか一項記載の電気接続箱。
【請求項５】
前記コネクタ抜け止め用キャップの回動端部には、前記コネクタ抜け止め用キャップの表面から突出してなる操作用爪部が設けられている
ことを特徴とする請求項１〜４のいずれか一項記載の電気接続箱。
【発明の詳細な説明】
【技術分野】
【０００１】
この発明は、コネクタ抜け止め用キャップが取り付けられたコネクタ接続部を有する電気接続箱に関する。
【背景技術】
【０００２】
自動車等に用いられる複数のコネクタ接続部を有する電気接続箱では、例えばエアバッグ回路の様な重要な回路を接続するコネクタ接続部でコネクタの半嵌合又は抜けが発生することを防止することが望ましい。この為、例えば下記特許文献１においては、コネクタ接続部に回動式のコネクタ抜け止め用キャップを設け、接続状態のコネクタをコネクタ抜け止め用キャップで係止することにより、コネクタに二重ロックをかけるようにしている。
【先行技術文献】
【特許文献】
【０００３】
【特許文献１】特開平９−２１３４１５号公報
【発明の概要】
【発明が解決しようとする課題】
【０００４】
上記特許文献１に開示された電気接続箱のケース面には、コネクタ抜け止め用キャップを仮係止するための係止爪が設けられている。ここで、この係止爪はケース面から法線方向外側に突出していたため、他の部材と干渉しやすく、これによって破損してしまう事があった。
【０００５】
この発明は、このような問題点に鑑み、コネクタ抜け止め用キャップの係止爪の破損を防止することが可能な電気接続箱を提供することを目的とする。
【課題を解決するための手段】
【０００６】
本発明に係る電気接続箱は、ケースハウジングのケース面に複数のコネクタ接続部を有する。前記コネクタ接続部の少なくとも一つは、回動式のコネクタ抜け止め用キャップを備える。前記ケース面には、前記コネクタ抜け止め用キャップを仮係止するための係止爪が形成されている。前記ケース面の前記係止爪が形成された部分の周辺は、他の部分より低く形成されている。従って、係止爪先端が他の部分よりも低くなるか、他の部分の上面から係止爪先端までの高さが低くなり、他の部材との干渉又はその影響が抑制される。これにより、係止爪の破損を防止することが可能である。
【０００７】
また、前記コネクタ抜け止め用キャップを備えたコネクタ接続部は、前記ケース面が四隅を有する場合、その四隅のうちの一つの隅部に設けられていても良い。即ち、例えばコネクタ抜け止め用キャップを有する電気接続箱を、インパネ内部等の目視しづらい場所に設置する場合、手探りで上記コネクタ抜け止め用キャップの場所を探り当てる必要があり、組み付け作業性が低下する。しかしながら、このような部分がケース面の四隅のうちの一つに設けられていれば、手探りでも容易にコネクタ抜け止め用キャップの場所を探り当てることが可能であり、組み付け作業性を改善することが可能である。
【０００８】
また、前記ケース面の前記係止爪が形成された部分の周辺と前記他の部分との段差は、前記ケース面の縁部まで形成されていても良い。これにより、例えばケース面の縁部からこの段差に指を沿わせてコネクタ抜け止め用キャップを操作することが可能であり、組み付け作業性を改善することが可能である。
【０００９】
また、前記ケース面の前記係止爪が形成された部分の周辺と前記他の部分との段差と、前記係止爪との間には、所定の間隔が設けられている。これにより、係止爪に係止されたコネクタ抜け止め用キャップと段差との間に指を差し込むことが可能となり、組み付け作業性を改善することが可能である。
【００１０】
また、前記コネクタ抜け止め用キャップの回動端部には、前記コネクタ抜け止め用キャップの表面から突出してなる操作用爪部が設けられていても良い。これにより、コネクタ抜け止め用キャップの操作用爪部に指を引っ掛けてコネクタ抜け止め用キャップを操作することができるので、コネクタ抜け止め用キャップの開閉作業が容易になる。
【発明の効果】
【００１１】
本発明によれば、係止爪の破損を防止することが可能な電気接続箱を提供することができる。
【図面の簡単な説明】
【００１２】
【図１】本発明の第１の実施の形態に係る電気接続箱の全体構成を示す斜視図である。
【図２】同電気接続箱の平面図である。
【図３】同電気接続箱の側面図である。
【図４】同電気接続箱の一部分の平面図である。
【図５】同部分の側面図である。
【図６】本発明の他の実施の形態に係る電気接続箱の平面図である。
【図７】本発明の更に他の実施の形態に係る電気接続箱の平面図である。
【発明を実施するための形態】
【００１３】
以下、添付の図面を参照して、この発明の実施の形態に係る電気接続箱を詳細に説明する。
【００１４】
［第１の実施の形態に係る電気接続箱］
図１は、本発明の第１の実施の形態に係る電気接続箱の全体構成を示す斜視図、図２は同電気接続箱の平面図、図３は同電気接続箱の側面図、図４は同電気接続箱の一部分の平面図、図５は同部分の側面図である。尚、図１〜図３においては、電気接続箱のコネクタ抜け止め用キャップ３が閉じた状態を示しており、図４及び図５においては、コネクタ抜け止め用キャップ３が開いた状態を示している。
【００１５】
本実施の形態に係る電気接続箱は、ケースハウジング１に図示しない内部回路を収容してなる。ケースハウジング１の上面は四角形状のケース面１ａを形成し、その四隅のうちの一つの隅部には、平面形状が四角形状で、他の部分と比較して低く形成されたキャップ設置部１ｂが形成されている。即ち、キャップ設置部１ｂとケース面１ａの他の部分との境界線上には、これら部分の高低差により段差が形成されている。キャップ設置部１ｂのケース面１ａの外縁と重なる部分はキャップ設置部１ｂと同じ低い高さのままで開放されている為、キャップ設置部１ｂは、ケースハウジング１の側面から指で触ることにより確認可能である。
【００１６】
ケースハウジング１のケース面１ａには、例えばヒューズ、リレースイッチ及びコネクタ等を接続する種々のコネクタ接続部１１〜１４が形成されている。中でも、キャップ設置部１ｂに設けられたコネクタ接続部１４には、本実施の形態に係るコネクタ抜け止め用キャップ３が回動可能に取り付けられている。また、キャップ設置部１ｂには、コネクタ抜け止め用キャップ３を仮係止するための係止爪１５が形成されている。係止爪１５は、キャップ設置部１ｂから面法線方向外側に突出する柱状の部材であり、先端係止部がコネクタ抜け止め用キャップ３側に形成されている。尚、キャップ設置部１ｂの境界部分と係止爪１５との間には、指が入る程度の間隔が設けられている。
【００１７】
コネクタ接続部１４は、コネクタ２の先端部分を収容するハウジング１４３を備える。ハウジング１４３の内側には、図示しない内部回路と接続された接続端子が配置され、コネクタ２は、この接続端子を介して内部回路と接続される。また、このハウジング１４３の係止爪１５側の基端部には、コネクタ抜け止め用キャップ３を回動可能に保持する回動保持部１４１が形成され、同じくハウジング１４３の係止爪１５に向かって左右の側面の上部にはコネクタ抜け止め用キャップ３を係止するための係止用凸部１４２が形成されている。
【００１８】
コネクタ抜け止め用キャップ３は、コネクタ接続部１４及びコネクタ２の一部を覆うキャップ本体３２と、このキャップ本体３２の一端に形成され、上記回動保持部１４１と係合する回動軸３１とを備え、コネクタ接続部１４に対して回動軸３１を中心として回動可能に保持される。キャップ本体３２は、本係止状態で、コネクタ接続部１４及びコネクタ２の係止爪１５側の面を覆う前面部３２ａと、上面を覆う上面部３２ｂと、側面を覆う側面部３２ｃ及び３２ｄを備える。前面部３２ａの上端には、一対の支持用凸部３３が形成されている。上面部３２ｂの中心部には、キャップ本体３２の先端から基端近傍まで延びる溝３４が形成されている。上面部３２ｂの先端には、溝３４を挟んで一対の操作用爪部３５が形成されている。更に、側面部３２ｃ及び３２ｄには、それぞれ係止用凸部１４２が嵌合する係止用孔部３６が形成されている。
【００１９】
コネクタ抜け止め用キャップ３は、キャップ開放時に、キャップ本体３２の溝３４の基端部が係止爪１５の先端係止部と係合することにより係止爪１５に仮係止することが可能である。コネクタ抜け止め用キャップ３が仮係止された状態では、キャップ本体３２の前面部３２ａはキャップ設置部１ｂと対向し、支持用凸部３３はキャップ設置部１ｂに当接する。
【００２０】
コネクタ抜け止め用キャップ３を仮係止状態から解除する場合、作業員は、ケースハウジング１の側面に手を添え、キャップ設置部１ｂの段差とキャップ本体３２の間の領域Ａ（図４参照）に指を差し込む。次に、作業員は操作用爪部３５を上方向に引き上げる。これにより、係止爪１５は弾性変形し、溝３４の後端側の縁は係止爪１５から外れ、コネクタ抜け止め用キャップ３は回動軸３１を中心として回動する。
【００２１】
コネクタ抜け止め用キャップ３をコネクタ接続部１４に本係止する場合、作業員は、キャップ本体３２でコネクタ接続部１４及びコネクタ２の上部を覆い、更にキャップ本体３２の前面部３２ａ及び上面部３２ｂの少なくとも一方を押圧する。これにより、キャップ本体３２の側面部３２ｃ及び３２ｄは弾性変形し、係止用孔部３６に係止用凸部１４２が係合する。これにより、コネクタ抜け止め用キャップ３は本係止状態となる。
【００２２】
本実施の形態に係る電気接続箱においては、係止爪１５が形成されたキャップ設置部１ｂが、ケースハウジング１のケース面１ａの他の部分と比較して低く形成されている。従って、係止爪１５の先端部分とケースハウジング１のケース面１ａとの高低差が比較的少なくなり、係止爪１５の外部との干渉が抑制される。これにより、係止爪１５の破損を防止することが可能である。
【００２３】
また、本実施の形態において、コネクタ接続部１４は、ケースハウジング１のケース面１ａの四隅のうちの一つの隅部に設けられている。従って、例えば電気接続箱を、インパネ内部等の目視しづらい位置に設置する場合であっても、手探りで容易にコネクタ抜け止め用キャップ３の設置場所を探り当てることが可能であり、組み付け作業性が高い。
【００２４】
また、キャップ設置部１ｂと、ケースハウジング上面１ａの他の部分とからなる段差は、上面１ａの端部まで形成されている。従って、例えば上面１ａの端部からこの段差に沿ってコネクタ抜け止め用キャップ３に触れることが可能であり、手探りでも容易にコネクタ抜け止め用キャップ３の場所を探り当てることが可能であるため、組み付け作業性が高い。
【００２５】
また、キャップ設置部１ｂとその他の部分との境界である段差部と、係止爪１５及びこの係止爪１５に仮係止されたコネクタ抜け止め用キャップ３との間には、所定の隙間が設けられている。従って、この部分に指を差し込むことが可能となり、組み付け作業性が高い。
【００２６】
更に、コネクタ抜け止め用キャップ３には、上記所定の隙間に指を差し込んだときに指に当たる部分に操作用爪部３５が形成されている。従って、この操作用爪部３５が指に引っかかることにより、コネクタ抜け止め用キャップ３の本係止までの操作をスムーズに行うことができ、組み付け作業性が高い。
【００２７】
［その他の実施の形態に係る電気接続箱］
図６及び図７は、本発明の他の実施の形態に係る電気接続箱の平面図である。キャップ設置部１ｂの位置は、例えば図６に示す通り、第１の実施の形態と線対称の位置に配置さるようにしても良い。また、キャップ設置部１ｂの位置は、例えば図７に示す通り、ケースハウジング１のケース面１ａの四隅の一つではなく、ケース面１ａの側辺の中間位置に設けるようにしても良い。第１の実施の形態に係る電気接続箱は、コネクタ抜け止め用キャップ３を一つのみ備えていたが、複数備えることも可能である。
【符号の説明】
【００２８】
１…ケースハウジング、２…コネクタ、３…コネクタ抜け止め用キャップ、１１〜１４…コネクタ接続部、１５…係止爪、１ａ…ケース面、１ｂ…キャップ設置部、３１…回動軸、３２…キャップ本体、３３…支持用凸部、３４…溝、３５…操作用爪部、３６…係止用孔部、１４１…回動保持部材、１４２…係止用凸部、１４３…ハウジング。
【図１】
2015159698.tif 000003
【図２】
2015159698.tif 000004
【図３】
2015159698.tif 000005
【図４】
2015159698.tif 000006
【図５】
2015159698.tif 000007
【図６】
2015159698.tif 000008
【図７】
2015159698.tif 000009